(57)【要約】【課題】光硬化性樹脂を含浸した補修シートをマンホールの被補修壁面部に均一にかつ堅実に付着させることができるマンホールの補修方法を提供する。【解決手段】マンホール１１の壁面１２にハンドローラによって補修シート１５を張り付けた後、マンホール１１の底部から上端部に向かって、複数のランプ２２を有する環状の光照射ユニット２１を内装した透明な環状の空気膨張チューブ１６、１６ａを、順次加圧空気を導入して膨張させながら積み上げて、補修シート１５を空気チューブ１６によりマンホール１１の壁面１２に押圧、密接し、次いで各光照射ユニット２１のランプ２２を点灯して、補修シート１５に含浸した光硬化性樹脂を硬化し、この後空気膨張チューブ１６、１６ａを排気、収縮しながら撤去する。【選択図】　　　　図２
2004066757.tif 000002
【特許請求の範囲】
【請求項１】
マンホールの被補修壁面部に、光硬化性樹脂を含浸した補修シートをハンドローラ類による押圧操作を介して張り付けた後、外部に弁付き給気コネクタと給電コネクタを有するとともに内部に給電コネクタを介して給電される複数のランプを含む環状の光照射ユニットを実質上同心的に装置しかつ少なくとも外周部が透明な環状の空気膨張チューブの少なくとも１個を、水平な状態において、給気コネクタを通した加圧空気の導入により膨張して、外周部を被補修壁面部に補修シートを介して密着し、これによって補修シートをマンホールの被補修壁面部に押圧、密接し、次いで給電コネクタを通した光照射ユニットのランプの点灯により、空気膨張チューブの少なくとも外周部を通して補修シートにランプの光線を照射して、補修シートに含浸した光硬化性樹脂を硬化し、その後光照射ユニットのランプの消灯後に、空気膨張チューブを加圧空気の給気コネクタを通した排出により収縮して、撤去することからなる、光硬化性樹脂被覆式マンホール補修方法。
【請求項２】
空気膨張チューブが、内周が開口した空気膨張性の透明なタイヤ状チューブ胴の開口を、不空気膨張性のリム状蓋板で閉鎖した構造からなり、蓋板に弁付き給気コネクタと給電コネクタを取り付けてなる、請求項１記載の補修方法。
【請求項３】
環状の光照射ユニットを、環状の透明なチューブケースに装着してなる、請求項１又は２に記載の補修方法。
【請求項４】
空気膨張チューブが、テーパー状の被補修壁面部に密接可能なテーパー状外周部を有してなる、請求項１〜３のいずれかに記載の補修方法。
【請求項５】
マンホールの底部上に、外部に弁付き給気コネクタと給電コネクタを有するとともに内部に光照射ユニットを装置しかつ少なくとも外周の実質部が透明な空間補填用空気膨張バックを設置してなる、請求項１〜４のいずれかに記載の補修方法。
【発明の詳細な説明】
【０００１】
【発明の属する技術分野】
この発明は、マンホール（汚水ます、雨水ますを含む）の被補修壁面部（継目部、底部、下半部、上半部などの一部や上から底までの全体）を光硬化性樹脂の被覆によって補修する方法の改良に関するものである。
【０００２】
【従来の技術】
従来においては、この種のマンホールの補修は、マンホールの被補修壁面部に、光硬化性樹脂を含浸した補修シートを、ハンドローラによる押圧操作を介して張り付けた後、補修シートにマンホール内に持ち込むランプの光線を照射して、補修シートに含浸した光硬化性樹脂を硬化させるという方式で行っている。
【０００３】
しかしこのような従来の補修方式には、特にハンドローラによる手操作の点から、補修シート全体をマンホールの被補修壁面部に堅実に張り付けることが至難であり、またハンドローラにより堅実に張り付けられた部分も、ランプからの光線照射時に、光硬化性樹脂の硬化に伴って補修シートが収縮するため、一部が剥がれるというように、最終的に補修シートをマンホールの被補修壁面部に対して均一にかつ堅実に付着させることが難しいという問題がある。
【０００４】
【発明が解決しようとする課題】
この発明は、従来の補修方式に認められる上記のような問題に鑑み、補修シートをマンホールの被補修壁面部に均一にかつ堅実に付着させることができるマンホールの補修方法を提供することを課題としている。
【０００５】
【課題を解決するための手段】
この発明に係るマンホールの補修方法は、マンホールの被補修壁面部に、光硬化性樹脂を含浸した補修シートをハンドローラ類による押圧操作を介して張り付けた後、外部に弁付き給気コネクタと給電コネクタを有するとともに内部に給電コネクタを介して給電される複数のランプを含む光照射ユニットを実質上同心的に装置（内装ないしは内蔵）しかつ少なくとも外周部が透明な環状の空気膨張チューブの少なくとも１個を、水平な状態において、給気コネクタを通した加圧空気の導入により膨張して、外周部をマンホールの被補修壁面部に補修シートを介して密着し、これによって補修シートをマンホールの被補修壁面部に押圧、密接し、次いで給電コネクタを通した光照射ユニットのランプの点灯により、空気膨張チューブの少なくとも外周部を通して補修シートに光を照射して、補修シートに含浸した光硬化性樹脂を硬化し、その後光照射ユニットのランプの消灯後に、空気膨張チューブを加圧空気の給気コネクタを通した排出により収縮して、撤去することからなる。
【０００６】
この発明の補修方法は、要約すれば、水平な状態で膨張させた１個以上の空気膨張チューブを介して補修シートをマンホールの被補修壁面部に均一にかつ堅実に圧接し、この補修シートの壁面に対する圧接を保持した状態で、空気膨張チューブに内装の光照射ユニットのランプからの光線を、空気膨張チューブの外周部を通して照射することによって、補修シートに含浸した光硬化性樹脂を光硬化させるもので、補修シートはマンホールの壁面に均一にかつ堅実に付着して、樹脂被覆する形になる。
【０００７】
この発明の補修方法における環状の空気膨張チューブとしては、光照射ユニットの収容を含めた製作の容易性、構造のコンパクト化などの点から、内周が開口した空気膨張性の透明なタイヤ状チューブ胴の内周開口を、不空気膨張性のリム状蓋板で閉鎖した構造からなるものを用いることができ、蓋板には、弁付き給気コネクタと給電コネクタを取り付けることができる。
【０００８】
また環状の光照射ユニットは、空気膨張チューブ内に対する収容の容易化、構造のコンパクト化などのために、環状の透明なチューブケース内に装着（収納）することができる。
【０００９】
さらにこの発明の補修方法においては、通常マンホールの上端部の壁面部や底部の壁面部はテーパー状に形成される点から、これらのテーパー状壁面部が被補修壁面部となる場合には、該テーパー状被補修壁面部に密接可能なテーパー状外周部を有する空気膨張チューブを用いて、該テーパー状壁面部に対する密接性を高めることができる。
【００１０】
またテーパー付きの底部の壁面部すなわちインバート部が、水平にのびる下水管の上部の両側に位置するマンホールのように、環状の空気膨張チューブを設置することが難しい部分の有るマンホールの場合には、外部に弁付き給気コネクタと給電コネクタを有するとともに内部に適宜の形状の光照射ユニットを装置しかつ少なくとも外周の実質部が透明な空間補填用空気膨張バックを用いることができる。
【００１１】
【発明の実施の形態】
以下図面に基づいて、マンホールの壁面全体を補修する場合の実施形態を説明する。
【００１２】
図示した実施形態は、底部の中央部をのびる下水管の両側に、半円状のインバート部を有する円形のマンホールを対象にしたもので、まず、図１に略示するように、それ自体は周知のハンドローラ類による押圧操作によって、下水管１４の両側のインバート部１３を含めて、マンホール１１の壁面１２全体に光硬化性樹脂を含浸した補修シート１５を張り付ける。
【００１３】
次いで図２に示すごとく、マンホール１１の底部の下水管１４を挟む両インバート部１３上に、半円状の透明な空間補填用空気膨張バッグ２５を直径部が下水管１４側に位置する状態で設置する。この空気膨張バッグ２５は、直径部を開口した空気膨張性の透明な軟質ゴム製の半円状バッグ胴２６の直径開口部を、コック（図示せず）付きの給気コネクタ１９と給電コネクタ２０を取り付けた実質上不空気膨張性の不透明な硬質ゴム製の蓋板２７で閉鎖した構造からなっており、内部に、メタルハライドランプからなるランプ２２を複数個コード２３を介して接続するとともに透明な可撓（軟質）プラスチックチューブからなるチューブケース２４内に装着した光照射ユニット２１が配設してある。この空気バッグ２５は、地上のエアコンプレッサ３０からのびるホース３１（一部のみ示す）を給気コネクタ１９に接続して、加圧空気を導入することにより膨張させて、インバート部１３及びこれに隣接する側部の下端部の壁面部に張り付けた補修シート１５に圧接させる。
【００１４】
この後、マンホール１１の上端部に向かって、複数個の環状の空気膨張チューブ１６を一つずつ積み重ねるように設置し、最後に上端部用のテーパー部付きの空気膨張チューブ１６ａを設置する。この空気膨張チューブ１６、１６ａは、内周が開口した横断面がＵ形の空気膨張性の透明な軟質ゴム製のタイヤ状チューブ胴１７の内周開口部を、コック付き給気コネクタ１９と給電コネクタ２０を取り付けた不透明な硬質ゴム製のリム状蓋板１８で閉鎖した構造からなっており、内部には、透明な可撓プラスチックチューブからなる環状のチューブケース２４内に装着した、複数のランプ２２をコード（ケーブル）２３を介して接続した環状の光照射ユニット２１が同心的に設置してある。各空気膨張チューブ１６、１６ａは、順次コック付き給気コネクタ１９を通して、エアコンプレッサ３０からの加圧空気を導入することにより膨張させて、外周部を対向部に張り付けた補修シート１５に圧接させることにより、張り付けた補修シート１５全体を壁面１２全体に均一にかつしっかりと圧接する。
【００１５】
続いて各空気膨張チューブ１６、１６ａ及び空間補填用空気バッグ２５に内装した光照射ユニット２１のランプ２２を、給電用コネクタ２０の地上の電源３３に対するケーブル３３接続により点灯して、空気膨張チューブ１６、１６ａのチューブ胴１７及び空間補填用空気膨張バッグ２５のバッグ胴２６を通して隣接する補修シート１５部に光線を照射することにより、補修シート１５部に含浸している光硬化性樹脂を硬化させて、マンホール１１の壁面全体に樹脂被覆する。
【００１６】
この後、各光照射ユニット２１のランプ２２の消灯後、例えばマンホール１１の上端側から順次空気膨張チューブ１６ａ、１６及び補填用空気膨張バッグ２５内の加圧空気を給気コネクタ１９を通して排除しながら、光照射ユニット２１内装の空気膨張チューブ１６ａ、１６及び空気膨張バッグ２５を撤去して、補修作業を終える。
【００１７】
この発明の補修方法は、このほか、空気膨張チューブや空気膨張バッグを構成する蓋板を、透明な硬質ゴムなどの材料で形成したり、光照射ユニットのランプとして、ハロゲンランプ、白熱ランプ、赤外線ランプ、蛍光ランプ、水銀ランプ等を用いるなど種々の形態で実施することができる。
【００１８】
【発明の効果】
以上説明したように、この発明に係るマンホールの補修方法によれば、マンホールの被補修壁面部に張り付けた光硬化性樹脂を含浸した補修シートを、少なくとも外周部が透明な空気膨張チューブ或いは該空気膨張チューブと少なくとも外周の実質部が透明な空間補填用空気膨張バッグの膨張を介して壁面に均一にかつ堅実に圧接した状態で、空気膨張チューブ或いは空気膨張バッグに内装の光照射ユニットのランプからの光線の照射により、補修シートに含浸した光硬化性樹脂を硬化させるので、補修シートをマンホールの壁面部に、均一にかつ堅実に付着させることができる。
【００１９】
またこの補修方法において、空気膨張チューブを、蓋板で閉鎖する開口を有する空気膨張性のタイヤ状チューブ胴で構成したり、光照射ユニットをチューブケースに収容する構成にすると、光照射ユニット内装の空気膨張チューブの製作の容易化や構造のコンパクト化などをはかることができる。
【図面の簡単な説明】
【図１】マンホールの壁面全体に補修シートを張り付けた状態を示す略正面図である。
【図２】マンホール内に、光照射ユニットを内装する複数の膨張状態の空気膨張チューブ及び空間補填用空気膨張バッグを上下に積み重ねて設置した状態を示す略正面図である。
【図３】空気膨張チューブの略平面図である。
【図４】空間補填用空気膨張バッグの略平面図である。
【符号の説明】
１１　　マンホール
１２　　壁面
１３　　インバート部
１４　　下水管
１５　　補修シート
１６　　空気膨張チューブ
１６ａ　空気膨張チューブ
１７　　タイヤ状チューブ胴
１８　　リム状蓋板
１９　　給気用コネクタ
２０　　給電用コネクタ
２１　　光照射ユニット
２２　　ランプ
２３　　コード
２４　　チューブケース
２５　　空間補填用空気膨張バッグ
２６　　バッグ胴
２７　　蓋板
３０　　エアコンプレッサ
３１　　ホース
３２　　電源
３３　　ケーブル
【図１】
2004066757.tif 000003
【図２】
2004066757.tif 000004
【図３】
2004066757.tif 000005
【図４】
2004066757.tif 000006